【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
１画素について複数の色成分データにより示される画像データに対して、誤差拡散処理法を用いた量子化処理を行う画像処理装置であって、
注目画素の前記複数の色成分データと該注目画素に対して誤差拡散された該複数の色成分データのそれぞれに対応した多値誤差データとから、該注目画素に対する複数の拡散誤差補正色成分データを生成する生成手段と、
前記複数の拡散誤差補正色成分データに含まれる第１の拡散誤差補正色成分データと第２の拡散誤差補正色成分データとの組み合わせと、（Ｎ−１）個の閾値とに基づき、前記第１の拡散誤差補正色成分データと前記第２の拡散誤差補正色成分データをＮ値に量子化する量子化手段とを有し、
前記Ｎは３以上の正の整数であり、
前記量子化手段は、
前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が所定の値以下の場合は、前記第１の拡散誤差補正色成分データに応じたドットも前記第２の拡散誤差補正色成分データに応じたドットも形成されないように、前記第１の拡散誤差補正色成分データと前記第２の拡散誤差補正色成分データを量子化し、
前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が前記所定の値より大きい場合は、前記第１の拡散誤差補正色成分データに応じたドットと前記第２の拡散誤差補正色成分データに応じたドットが排他的になるように、前記第１の拡散誤差補正色成分データの値と前記第２の拡散誤差補正色成分データとの大小関係に基づき、前記第１の拡散誤差補正色成分データと前記第２の拡散誤差補正色成分データを量子化し、
前記第１の拡散誤差補正色成分データの値と前記第２の拡散誤差補正色成分データの値のいずれかが前記（Ｎ−１）個の閾値のうち最小の閾値以上の場合は、前記第１の拡散誤差補正色成分データの値と前記第２の拡散誤差補正色成分データの値のそれぞれを独立して前記（Ｎ−１）個の閾値と比較した結果に応じた量子化を行うことを特徴とする画像処理装置。
【請求項２】
前記複数の色成分データは、イエロの濃度データ、マゼンタの濃度データ、シアンの濃度データおよびブラックの濃度データを含み、
前記第１の拡散誤差補正色成分データはシアンに対応し、前記第２の拡散誤差補正色成分データはマゼンタに対応することを特徴とする請求項１に記載の画像処理装置。
【請求項３】
前記量子化の結果に基づきインクジェット方式を用いて画像を形成する画像形成手段をさらに有することを特徴とする請求項１又は２記載の画像処理装置。
【請求項４】
１画素について複数の色成分データにより示される画像データに対して、誤差拡散処理法を用いた量子化処理を行う画像処理方法であって、
注目画素の前記複数の色成分データと該注目画素に対して誤差拡散された該複数の色成分データのそれぞれに対応した多値誤差データとから、該注目画素に対する複数の拡散誤差補正色成分データを生成する生成工程と、
前記複数の拡散誤差補正色成分データに含まれる第１の拡散誤差補正色成分データと第２の拡散誤差補正色成分データとの組み合わせと、（Ｎ−１）個の閾値とに基づき、前記第１の拡散誤差補正色成分データと前記第２の拡散誤差補正色成分データをＮ値に量子化する量子化工程とを有し、
前記Ｎは３以上の正の整数であり、
前記量子化工程は、
前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が所定の値以下の場合は、前記第１の拡散誤差補正色成分データに応じたドットも前記第２の拡散誤差補正色成分データに応じたドットも形成されないように、前記第１の拡散誤差補正色成分データと前記第２の拡散誤差補正色成分データを量子化し、
前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が前記所定の値より大きい場合は、前記第１の拡散誤差補正色成分データに応じたドットと前記第２の拡散誤差補正色成分データに応じたドットが排他的になるように、前記第１の拡散誤差補正色成分データの値と前記第２の拡散誤差補正色成分データとの大小関係に基づき、前記第１の拡散誤差補正色成分データと前記第２の拡散誤差補正色成分データを量子化し、
前記第１の拡散誤差補正色成分データの値と前記第２の拡散誤差補正色成分データの値のいずれかが前記（Ｎ−１）個の閾値のうち最小の閾値以上の場合は、前記第１の拡散誤差補正色成分データの値と前記第２の拡散誤差補正色成分データの値のそれぞれを独立して前記（Ｎ−１）個の閾値と比較した結果に応じた量子化を行うことを特徴とする画像処理方法。
【請求項５】
請求項４に記載の画像処理方法を実行するプログラムを格納したコンピュータ装置読み取り可能な記憶媒体。
【手続補正２】
【補正対象書類名】明細書
【補正対象項目名】００２２
【補正方法】変更
【補正の内容】
【００２２】
即ち、１画素について複数の色成分データにより示される画像データに対して、誤差拡散処理法を用いた量子化処理を行う画像処理装置であって、注目画素の前記複数の色成分データと該注目画素に対して誤差拡散された該複数の色成分データのそれぞれに対応した多値誤差データとから、該注目画素に対する複数の拡散誤差補正色成分データを生成する生成手段と、前記複数の拡散誤差補正色成分データに含まれる第１の拡散誤差補正色成分データと第２の拡散誤差補正色成分データとの組み合わせと、（Ｎ−１）個の閾値とに基づき、前記第１の拡散誤差補正色成分データと前記第２の拡散誤差補正色成分データをＮ値に量子化する量子化手段とを有し、前記Ｎは３以上の正の整数であり、前記量子化手段は、前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が所定の値以下の場合は、前記第１の拡散誤差補正色成分データに応じたドットも前記第２の拡散誤差補正色成分データに応じたドットも形成されないように、前記第１の拡散誤差補正色成分データと前記第２の拡散誤差補正色成分データを量子化し、前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が前記所定の値より大きい場合は、前記第１の拡散誤差補正色成分データに応じたドットと前記第２の拡散誤差補正色成分データに応じたドットが排他的になるように、前記第１の拡散誤差補正色成分データの値と前記第２の拡散誤差補正色成分データとの大小関係に基づき、前記第１の拡散誤差補正色成分データと前記第２の拡散誤差補正色成分データを量子化し、前記第１の拡散誤差補正色成分データの値と前記第２の拡散誤差補正色成分データの値のいずれかが前記（Ｎ−１）個の閾値のうち最小の閾値以上の場合は、前記第１の拡散誤差補正色成分データの値と前記第２の拡散誤差補正色成分データの値のそれぞれを独立して前記（Ｎ−１）個の閾値と比較した結果に応じた量子化を行うことを特徴とする。
【手続補正３】
【補正対象書類名】明細書
【補正対象項目名】００２６
【補正方法】変更
【補正の内容】
【００２６】
以上の場合、前記複数の色成分データは、イエロの濃度データ、マゼンタの濃度データ、シアンの濃度データおよびブラックの濃度データを含み、前記第１の拡散誤差補正色成分データはシアンに対応し、前記第２の拡散誤差補正色成分データはマゼンタに対応することを特徴とする。さらに、前記量子化の結果に基づきインクジェット方式を用いて画像を形成する画像形成手段を有することが望ましい。
【手続補正４】
【補正対象書類名】明細書
【補正対象項目名】００３１
【補正方法】変更
【補正の内容】
【００３１】
また他の発明によれば、１画素について複数の色成分データにより示される画像データに対して、誤差拡散処理法を用いた量子化処理を行う画像処理方法であって、注目画素の前記複数の色成分データと該注目画素に対して誤差拡散された該複数の色成分データのそれぞれに対応した多値誤差データとから、該注目画素に対する複数の拡散誤差補正色成分データを生成する生成工程と、前記複数の拡散誤差補正色成分データに含まれる第１の拡散誤差補正色成分データと第２の拡散誤差補正色成分データとの組み合わせと、（Ｎ−１）個の閾値とに基づき、前記第１の拡散誤差補正色成分データと前記第２の拡散誤差補正色成分データをＮ値に量子化する量子化工程とを有し、前記Ｎは３以上の正の整数であり、前記量子化工程は、前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が所定の値以下の場合は、前記第１の拡散誤差補正色成分データに応じたドットも前記第２の拡散誤差補正色成分データに応じたドットも形成されないように、前記第１の拡散誤差補正色成分データと前記第２の拡散誤差補正色成分データを量子化し、前記第１の拡散誤差補正色成分データの値と前記第２の拡散誤差補正色成分データの値の両方が前記（Ｎ−１）個の閾値のうち最小の閾値より小さく、かつ、前記第１の拡散誤差補正色成分データの値と前記第２の拡散誤差補正色成分データの値との和が前記所定の値より大きい場合は、前記第１の拡散誤差補正色成分データに応じたドットと前記第２の拡散誤差補正色成分データに応じたドットが排他的になるように、前記第１の拡散誤差補正色成分データの値と前記第２の拡散誤差補正色成分データとの大小関係に基づき、前記第１の拡散誤差補正色成分データと前記第２の拡散誤差補正色成分データを量子化し、前記第１の拡散誤差補正色成分データの値と前記第２の拡散誤差補正色成分データの値のいずれかが前記（Ｎ−１）個の閾値のうち最小の閾値以上の場合は、前記第１の拡散誤差補正色成分データの値と前記第２の拡散誤差補正色成分データの値のそれぞれを独立して前記（Ｎ−１）個の閾値と比較した結果に応じた量子化を行うことを特徴とする画像処理方法を備える。